(57)【要約】  透明な壁又は透明な区画を具備する壁を有し、部分的に又は完全に水で充填される容器（２，１２）と、容器の周囲に設けられたか又は容器の周囲に部分的に設けられた空間（３，５，６）とを具備する浮き構造（１，１１）であって、容器は、周囲の水が該容器内に入ることを可能にする少なくとも一つの開口部を具備しており、容器（２，１２）の周囲に設けられた空間（３，５，６）が、容器の内側で行われる活動のための内部観察領域を提供するように密閉されていることを特徴とする、浮き構造（１，１１）。
2015530316.tif 000002
【特許請求の範囲】
【請求項１】
透明な壁又は透明な区画を具備する壁を有し、部分的に又は完全に水で充填される容器（２，１２）と、前記容器の周囲に設けられたか又は前記容器の周囲に部分的に設けられた空間（３，５，６）とを具備する浮き構造（１，１１）であって、前記容器は、周囲の水が該容器内に入ることを可能にする少なくとも一つの開口部を具備しており、前記容器（２，１２）の周囲に設けられた前記空間（３，５，６）が、前記容器の内側で行われる活動のための内部観察領域を提供するように密閉されていることを特徴とする、浮き構造（１，１１）。
【請求項２】
前記密閉空間（３，５，６）は、複数の床を具備しており、前記容器（２，１２）は複数の前記床をとおして鉛直に延びている、請求項１に記載の浮き構造（１，１１）。
【請求項３】
前記容器（２，１２）は、該容器の内側に配置されて該容器の前記壁に接続された水平に延びる床構造（１３）を具備する、請求項１又は２に記載の浮き構造（１，１１）。
【請求項４】
前記床構造（１３）は、水密に及び／又は鉛直方向で調節可能に前記容器（２，１２）の前記壁に接続される、請求項３に記載の浮き構造（１，１１）。
【請求項５】
前記容器（２，１２）の前記壁は、前記容器の内側に水を入れ且つそこから出すための複数の空気止め通路（９）を備える、請求項１〜４のいずれか一項に記載の浮き構造（１，１１）。
【請求項６】
前記密閉空間は複数の居住区（４）を具備する、請求項１〜５のいずれか一項に記載の浮き構造（１，１１）。
【請求項７】
前記密閉空間は、食事、飲み物、及び／又は娯楽を提供するための施設（５）を具備する、請求項１〜６のいずれか一項に記載の浮き構造（１，１１）。
【請求項８】
該浮き構造を水上で移動するための推進システム（７）を備える、請求項１〜７のいずれか一項に記載の浮き構造（１，１１）。
【請求項９】
該浮き構造を水上で固定するための投錨システム（８）を備える、請求項１〜８のいずれか一項に記載の浮き構造（１，１１）。
【請求項１０】
該浮き構造の屋根が着陸帯及び／又はヘリポートを備える、請求項１〜９のいずれか一項に記載の浮き構造（１，１１）。
【請求項１１】
乗客が該浮き構造に入りそこから出ることを可能にするために、固定されているか又は取外し可能なドッキング施設（１０）を備える、請求項１〜１０のいずれか一項に記載の浮き構造（１，１１）。
【発明の詳細な説明】
【技術分野】
【０００１】
本発明は、浮き構造に関するものであり、前記浮き構造は、人々のための空間、及び完全にまたは部分的に水が充填された容器若しくはコンテナを具備しており、前記容器若しくはコンテナは少なくとも部分的に透明な壁を具備する。
【背景技術】
【０００２】
特許出願ＰＣＴ／ＦＩ２０１２／０５０７２６は、水中での活動のための装置を開示しており、前記装置は、部分的に若しくは完全に水で充填される容器を具備しており、前記容器は、その容器に入るための一つ以上の開放開口部を有しており、そこでは、容器に入るための開放開口部と共に容器の下部は水の塊の表面レベルの下に位置付けられる。容器の壁は透明であるか、または壁は透明な区画を具備するかであり、これは人々が、容器の内側で行われる活動を容器の外側から観察することを可能にする。またこの出願は、容器が浮き構造を提供する浮きプラットフォームに接続される実施形態も開示する。更に、この出願は、容器の壁の内側の観客に部屋を提供する可能性にも簡単に言及している。
【発明の概要】
【０００３】
本発明は、透明な壁又は透明な区画を具備する壁を有し、部分的に又は完全に水で充填される容器であって、周囲の水が該容器内に入ることを可能にする少なくとも一つの開口部を具備する容器を具備する浮き構造を提供する。浮き構造内には、人々が、容器の内側で行われる活動を観察するために、容器の周囲に設けられたか又は容器の周囲に部分的に設けられた空間があり、前記空間は内部観察領域を提供するために密閉されている。
【０００４】
本発明の背景状況においては、容器の部分的な充填の場合、水面と容器の頂面との間に空気層が与えられる状況を意味する。しかしながら、部分的に充填された容器内の水面レベルは、容器の内部の十分に多量の水を、容器の壁を通して観察され得る容器内で行われる活動に提供するために、浮き構造を取り囲む水の表面レベルよりも著しく高くなければならない。
【０００５】
本発明では、容器の周囲又は部分的に周囲の密閉空間が、浮き構造のほぼ全体の構造物を有利に含んでおり、その結果、部分的に又は完全に水で充填された容器が、浮き構造の構造物の内側に又はその縁に配置され、また容器の開口部が容器の底面、及び従って浮き構造の底面にもある。
【０００６】
本発明の浮き構造の密閉空間は、複数の床又はデッキを有利に具備しており、容器は、複数のこれらの床をとおして鉛直に延びる。有利には、容器は浮き構造の全ての床又はデッキをとおして延び、その結果、容器の頂面は浮き構造の屋根とほぼ同じレベルにある。
【０００７】
容器は、容器の内側に配置されて容器の壁に接続された水平に延びる床構造を有利に具備する。床構造は、水及び／又は人々が該床構造の一方の側から、該床構造の縁に配置された領域を通って他方の側に移動するように容器の壁に接続され得る。代りに、床構造は、容器の壁に水密に接続されてよい。水平に延びる床構造は、鉛直方向で調節可能であってもよい。この水平に延びる床構造は、例えば、容器内部に様々な種類の競技場を形成するために用いられてよい。
【０００８】
本発明では、容器の壁、特に鉛直方向に延びる壁は、水を容器の内側に入れ且つそこから出すために複数の空気止め通路を有利に備える。例えば、複数の床が備えられた浮き構造では、床の各々又は多くが、容器内の水に接近するために一つ以上の空気止め通路を有することができる。
【０００９】
本発明による浮き構造の密閉空間は、人々に一泊滞在のための部屋を提供する複数の居住区を有利に備えており、その結果、浮き構造は、例えばホテルとして機能する。更に、密閉空間は、食事、飲み物、及び娯楽を提供する、例えばレストラン、バー、劇場、映画館のような施設も備えてよい。
【００１０】
水上で浮き構造を移動させるために、浮き構造は、適切な推進システムを有利に備える。推進システムは、一つ以上のプロペラとそれらを回転させるエンジンを具備してよい。推進システムは、例えば一つ以上の方位角タイプの推進機を具備してよい。代りに、浮き構造は、例えばタグボートによって水上を移動させられてよい。
【００１１】
浮き構造は、該構造を水上の適切な場所又は位置に固定するための投錨システムも有利に備える。投錨システムは、ワイヤ又は鎖によって浮き構造に接続された一つ以上の錨と、前記錨を上昇及び下降させるウインチとを具備してよい。代りに、投錨システムは、例えば、湖、海、大洋、又は川のような多量の水の底に固定された投錨基礎を具備してよい。一つ又は複数の前記投錨基礎は浮き構造を固定するために用いられてよい。
【００１２】
浮き構造に及び浮き構造から人々を移動させるために、浮き構造の屋根は、着陸帯及び／又はヘリポートを備えてよい。代りに又はさらに、浮き構造は、乗客が浮き構造に入り且つそこから出ることを可能にするための固定式の又は取外し可能なドッキング施設を備えてよい。
【００１３】
本発明による浮き構造を規定する特徴が、より詳しく請求項１に提示される。他の有利な実施形態及び特徴が従属請求項に提示される。
【００１４】
本発明の例示的な実施形態及びその利点が、添付の図面を参照して、例という意味で以下に非常に詳細に説明される。
【図面の簡単な説明】
【００１５】
【図１】本発明による浮き構造の実施形態の模式的な側面断面図である。
【図２】本発明による浮き構造の代替の実施形態の模式的な側面断面図である。
【図３Ａ】本発明による浮き構造の実施形態の模式的な平面図である。
【図３Ｂ】本発明による浮き構造の実施形態の模式的な平面図である。
【図３Ｃ】本発明による浮き構造の実施形態の模式的な平面図である。
【発明を実施するための形態】
【００１６】
図１は、本発明による浮き構造１の実施形態の模式的な側面断面図である。
【００１７】
浮き構造１は、該浮き構造の構造体の内側に配置された容器２を具備しており、前記容器は、複数の床またはデッキを具備する密閉空間によって取り囲まれている。
【００１８】
浮き構造１の床の少なくとも幾つかは空間３を具備しており、前記空間３は容器２の周囲でそれに隣接している。前記空間３から、容器の内側で行われる活動が、容器の透明な壁または壁の透明な部分を通して観察され得る。これらの空間３は、例えば劇場または映画館におけるように、椅子または他の座席配置を備えることができる。
【００１９】
浮き構造１の床の少なくとも幾つかは、ホテルの客室の形態の居住区４も具備しており、例えば、乗客または訪問者はそこに一泊して滞在することができる。
【００２０】
浮き構造１の最上階５は、レストラン、バー、カジノ、及び訪問者または乗客の要求の面倒を見る他の施設を備えている。
【００２１】
浮き構造１の最下階６は、浮き構造を稼働状態に維持するために必要な、動力発生及び発電、並びに空調等々を含む機械設備を備えている。最下階は、異なる種類の水中ショウまたはスポーツイベントを容器２の内側に提供するのに必要な設備も備えている。
【００２２】
浮き構造の底面から、方位角推進装置７が延びており、前記方位角推進装置７は、浮き構造を水上で移動させかつ操縦するために用いられる。浮き構造１の水中部分は、浮き構造を水上で投錨する際に用いられる投錨ワイヤまたは鎖８を具備する投錨システムも含んでいる。
【００２３】
容器２の底部は本実施形態では周囲の水に開放しており、またそれは、容器の内側の任意の落下物を捕捉するために及び海洋生物がショウの最中に入ることを防ぐために、取外し可能なネットまたは格子で有利に覆われている。
【００２４】
容器２またはその周囲の構造物は、低圧力または部分真空を容器の内側に生み出すのに適した機械設備、及び水を容器の内側に圧送するためのポンピング設備を備えており、それら設備は容器内を水で充填して、容器内の水面レベルを設定するために用いられる。
【００２５】
更に、容器２を完全に充填することができるように、浮き構造１は浮き構造の喫水を調節するためのシステムを具備する。このように、喫水は、容器が完全に充填される必要があるときに増大し、浮き構造が新しい場所に移動するときに減少する。容器２は、水面レベルと容器の頂面との間に発生し得る空気層内の空気を交換するのに適した機械設備も含んでいる。
【００２６】
容器２の壁は空気止め通路９を備えており、前記空気止め通路９は、容器の内側の水への入場およびそこからの退出を可能にする。
【００２７】
浮き構造１は、固定式の又は取外し可能なドッキングプラットフォーム１０も備えており、それは、乗客及び／又は訪問者を浮き構造に及び浮き構造から運ぶために、船舶、ボート、及び水中翼船等が浮き構造にドッキングすることを可能にする。乗客及び訪問者を運ぶために、浮き構造１のレベル頂面又は屋根は着陸帯又はヘリポートを備えることができる。
【００２８】
図２の実施形態では、浮き構造１１が、複数の床と、開放した底面を有する容器１２とを具備している。容器１２の内部で、水平に延びる床構造１３が配置されている。
【００２９】
この実施形態の床構造１３は、容器１２の鉛直壁に水密に接続されている。このタイプの構成は、物理法則に基づいて、周囲の多量の水の表面レベルと容器１２の内側の水の表面レベルとの間の最大高低差の制限を取り除く。更に、容器１２の壁と床構造１３との間の接続は、鉛直方向に好適に調節可能であり、その結果、床構造の上の容器の体積は、様々なタイプの活動に適するように調節されることが可能である。
【００３０】
本発明における水密の床構造１３は有利に取外し可能であるか、又は床構造の水密性は適切な方法で取り除くことができ、その結果容器１２の内側部分は単一の存在物に戻され得る。
【００３１】
代りに、床構造は、容器１２の断面の一部分だけを覆うことができ、容器内のその位置を維持することができるように特定の場所からだけ容器の壁に接続される。このタイプの配置構成では、水と人々は、水平に延びる床構造の一方の側から他方の側へ、例えば床構造と容器の壁との間の領域を通って移動できる。
【００３２】
容器１２の内側の床構造は、容器の内側で行われるゲームに適した競技場を形成するために有利に用いられる。
【００３３】
浮き構造１１は、この実施形態ではそれ自身の推進システムを有しない。そのために、浮き構造は、タグボートによって水上の異なる場所に曳航されて、その場所を保つように固定される。
【００３４】
図３Ａ〜図３Ｄは、浮き構造１の上から見た様々な形体及び形状の例を模式的に示しており、そこでは浮き構造の内部の容器２の輪郭が破線で示されている。図３Ｄでは、容器２の一部の壁が浮き構造１の外表面を形成する例が示されている。
【００３５】
図で示されて上で論述された本発明の特定の例示的な実施形態は、限定するものとして解釈されるべきではない。当業者は、上述の例示的浮き構造を、添付の特許請求の範囲の範囲内の多くの明らかな方法で変更及び修正することができる。したがって、本発明は単に上述された実施形態に限定されるわけではない。
【図１】
2015530316.tif 000003
【図２】
2015530316.tif 000004
【図３Ａ】
2015530316.tif 000005
【図３Ｂ】
2015530316.tif 000006
【図３Ｃ】
2015530316.tif 000007
【図３Ｄ】
2015530316.tif 000008
【手続補正書】
【提出日】平成25年5月16日(2013.5.16)
【手続補正１】
【補正対象書類名】特許請求の範囲
【補正対象項目名】全文
【補正方法】変更
【補正の内容】
【特許請求の範囲】
【請求項１】
透明な壁又は透明な区画を具備する壁を有し、部分的に又は完全に水で充填される容器（２，１２）と、前記容器の周囲に設けられたか又は前記容器の周囲に部分的に設けられた空間（３，５，６）とを具備する浮き構造（１，１１）であって、前記容器は、周囲の水が該容器内に入ることを可能にする少なくとも一つの開口部を具備しており、前記容器内の水面レベルが周囲の水の表面レベルよりも著しく高くされており、前記容器（２，１２）の周囲に設けられた前記空間（３，５，６）が、前記容器の内側で行われる活動のための内部観察領域を提供するように密閉されていることを特徴とする、浮き構造（１，１１）。
【請求項２】
前記密閉空間（３，５，６）は、複数の床を具備しており、前記容器（２，１２）は複数の前記床をとおして鉛直に延びている、請求項１に記載の浮き構造（１，１１）。
【請求項３】
前記容器（２，１２）は、該容器の内側に配置されて該容器の前記壁に接続された水平に延びる床構造（１３）を具備する、請求項１又は２に記載の浮き構造（１，１１）。
【請求項４】
前記床構造（１３）は、水密に及び／又は鉛直方向で調節可能に前記容器（２，１２）の前記壁に接続される、請求項３に記載の浮き構造（１，１１）。
【請求項５】
前記容器（２，１２）の前記壁は、前記容器の内側に水を入れ且つそこから出すための複数の空気止め通路（９）を備える、請求項１〜４のいずれか一項に記載の浮き構造（１，１１）。
【請求項６】
前記密閉空間は複数の居住区（４）を具備する、請求項１〜５のいずれか一項に記載の浮き構造（１，１１）。
【請求項７】
前記密閉空間は、食事、飲み物、及び／又は娯楽を提供するための施設（５）を具備する、請求項１〜６のいずれか一項に記載の浮き構造（１，１１）。
【請求項８】
該浮き構造を水上で移動するための推進システム（７）を備える、請求項１〜７のいずれか一項に記載の浮き構造（１，１１）。
【請求項９】
該浮き構造を水上で固定するための投錨システム（８）を備える、請求項１〜８のいずれか一項に記載の浮き構造（１，１１）。
【請求項１０】
該浮き構造の屋根が着陸帯及び／又はヘリポートを備える、請求項１〜９のいずれか一項に記載の浮き構造（１，１１）。
【請求項１１】
乗客が該浮き構造に入りそこから出ることを可能にするために、固定されているか又は取外し可能なドッキング施設（１０）を備える、請求項１〜１０のいずれか一項に記載の浮き構造（１，１１）。
【国際調査報告】
2015530316.tif 000009
2015530316.tif 000010